(57)【要約】      （修正有）【課題】導光板、バックライトモジュール及び表示装置を提供する。【解決手段】バックライトモジュールと表示装置はいずれも導光板１０Ａを含む。導光板１０Ａはその導光板本体１１Ａの反射面１１２Ａに円系平面１２１Ａと傾斜円周面１２２Ａを含む複数の導光微細構造１２Ａが形成されており、円系平面１２１Ａは反射面１１２Ａに平行しており、反射面１１２Ａに対して段差を形成しており、傾斜円周面１２２Ａは円系平面１２１Ａの周囲から反射面へ延び、これにより、導光微細構造１２Ａの平らな円系平面１２１Ａとその周辺の傾斜円周面１２２Ａとは光線を収束し、迷光を減少させ、光源が導光板１０Ａを通過した後の射出光の輝度を向上させる。【選択図】図１０
0003216059.tif 000002
【実用新案登録請求の範囲】
【請求項１】
光射出面、反射面及び入射光側面を含む導光板本体と、
前記導光板本体の反射面に形成されている複数の導光微細構造と、
を含み、
前記光射出面と前記反射面とはそれぞれ前記導光板本体の対向する両側に位置してお前記入射光側面は前記導光板本体の側辺に位置しており、
前記導光微細構造は円系平面及び傾斜円周面を含み、前記円系平面は前記反射面に平行しており、前記反射面に対して段差を形成しており、前記傾斜円周面は前記円系平面の周囲から前記反射面へ延びる導光板。
【請求項２】
前記導光微細構造は前記反射面から突出し、前記導光微細構造は前記反射面と直交する中心線を含み、前記導光微細構造の円系平面は前記反射面の外側に位置している請求項１に記載の導光板。
【請求項３】
前記導光微細構造は前記反射面から突出し、前記反射面において底部平面を画定しており、前記導光微細構造の円系平面は前記反射面の外側に位置しており、前記導光微細構造は中心線を含み、前記中心線は前記円系平面の中心から前記入射光側面に向かい合う方向に傾斜して前記底部平面の中心へ延び、且つ前記中心線と前記円系平面の中心を経由する法線とは鋭角である夾角をなす請求項１に記載の導光板。
【請求項４】
前記導光微細構造は前記反射面から突出し、前記導光微細構造の円系平面は前記反射面の外側に位置しており、前記導光微細構造は中心線を含み、前記導光微細構造の傾斜円周面は前記入射光側面に向かい合う第１プレーンワイヤ及び前記入射光側面に背向ける第２プレーンワイヤを含み、前記第１プレーンワイヤと第２プレーンワイヤとはそれぞれ前記中心線の入射光方向に沿って対向する両側に位置しており、前記第１プレーンワイヤの反射面に対して形成された外角の角度は前記第２プレーンワイヤの反射面に対して形成された外角の角度と異なり、前記導光微細構造を非対称構造に形成させる請求項１に記載の導光板。
【請求項５】
前記導光微細構造は前記反射面から内部へ凹み、前記導光微細構造は前記反射面と直交する中心線を含み、前記導光微細構造の円系平面は前記反射面の内側に位置している請求項１に記載の導光板。
【請求項６】
前記導光微細構造は前記反射面から内部へ凹んで前記反射面において開口を画定しており、前記導光微細構造の円系平面は前記反射面の内側に位置しており、前記導光微細構造は中心線を含み、前記中心線は前記円系平面の中心から前記入射光側面に背向ける方向に向くように傾斜して前記開口の中心へ延び、前記中心線と前記円系平面の中心を経由する法線とは鋭角である夾角をなす請求項１に記載の導光板。
【請求項７】
前記導光微細構造は前記反射面から内部へ凹み、前記導光微細構造の円系平面は前記反射面の内側に位置しており、前記導光微細構造は中心線を含み、前記導光微細構造の傾斜円周面は前記入射光側面に向かい合う第１プレーンワイヤ及び前記入射光側面に背向ける第２プレーンワイヤを含み、前記第１プレーンワイヤと第２プレーンワイヤとはそれぞれ前記中心線の入射光方向に沿って対向する両側に位置しており、前記第１プレーンワイヤの反射面に対して形成された内角の角度は前記第２プレーンワイヤの反射面に対して形成された内角の角度と異なり、前記導光微細構造を非対称構造に形成させる請求項１に記載の導光板。
【請求項８】
前記導光板の光射出面に複数の光射出微細構造が形成されている請求項１〜７の何れかに記載の導光板。
【請求項９】
請求項１〜８の何れかに記載の導光板と、
前記導光板の光射出面の外側に設置されている少なくとも１つの光学フィルムと、
前記導光板の入射光側面の外側に設けられており、その光射出方向が前記入射光側面に向く光源と、
を含むバックライトモジュール。
【請求項１０】
請求項９に記載のバックライトモジュールと、
前記バックライトモジュールの光学フィルムの外側に設けられている表示パネルと、を含む表示装置。
【考案の詳細な説明】
【技術分野】
【０００１】
本考案は導光部材及びその応用に関し、特に導光板、バックライトモジュール及び表示装置に関する。
【背景技術】
【０００２】
液晶ディスプレイ等のような表示装置の表示パネルは、一般的にバックライトモジュールを利用して必要なバックライトを提供しなければならない。現在知られているバックライトモジュールの構造は、導光板の光入射面の外側に光源が設置され、導光板の光射出面の外側に１枚又は複数枚の光学フィルムが設置され、光源から射出される光を導光板を通過した後に均一に分散させ、そして、光学フィルムによって導光板の光射出面から射出される光をさらに拡散反射及びブライトニングさせ、表示パネルに対して輝度均一のバックライトを提供する。
【０００３】
前記導光板の構造は、主に矩形の平板状導光板本体を有し、入射光線の拡散と反射を向上させるために、導光板本体は光線を入射方向から９０度ずれた方向に射出させる。導光板はその導光板本体の反射面に複数の導光微細構造が形成されているため、導光微細構造を利用することにより導光板に入射された光線を光射出面の方向に向くように反射させる。
【０００４】
従来の導光板構造において、図１５に示すように、導光板４０の反射面４１に形成された導光微細構造４２の底面は全円弧形曲面に形成され、導光板４０の光入射面４３を経由して入射された光線が導光微細構造４２を通過する時、光線は導光微細構造４２の光入射面４３に背向ける弧形曲面から直接射出しやすいが、光射出面４４に向く方向に反射することができず、光線は導光板４０を通過した後比較的に多い迷光を発生することで、導光板４０の光射出面４４を通過する有効光を減少させ、射出光の輝度を低減させる。
【考案の概要】
【考案が解決しようとする課題】
【０００５】
本考案は、従来の導光板が比較的に多い迷光を発生する問題と、輝度を低減させる問題と、を解決するための導光板、バックライトモジュール及び表示装置を提供することを目的とする。
【課題を解決するための手段】
【０００６】
上記目的を達成するために、本考案の導光板は光射出面、反射面及び入射光側面を含む導光板本体と、導光板本体の反射面に形成されている複数の導光微細構造と、を含み、光射出面と反射面とはそれぞれ導光板本体の対向する両側に位置しており、入射光側面は導光板本体の側辺に位置しており、導光微細構造は円系平面及び傾斜円周面を含み、円系平面は反射面に平行しており、反射面に対して段差を形成しており、傾斜円周面は円系平面の周囲から反射面へ延びる。  
【０００７】
上記のような導光板において、導光微細構造は反射面から突出し、導光微細構造は反射面と直交する中心線を含み、導光微細構造の円系平面は反射面の外側に位置している。
【０００８】
上記のような導光板において、導光微細構造は反射面から突出し反射面において底部平面を画定しており、導光微細構造の円系平面は反射面の外側に位置しており、導光微細構造は中心線を含み、中心線は円系平面の中心から入射光側面に向かい合う方向に傾斜して底部平面の中心へ延び、且つ中心線と円系平面の中心を経由する法線とは鋭角である夾角をなす。
【０００９】
上記のような導光板において、導光微細構造は反射面から突出し、導光微細構造の円系平面は反射面の外側に位置しており、導光微細構造は中心線を含み、導光微細構造の傾斜円周面は入射光側面に向かい合う第１プレーンワイヤ及び入射光側面に背向ける第２プレーンワイヤを含み、第１プレーンワイヤと第２プレーンワイヤとはそれぞれ中心線の入射光方向に沿って対向する両側に位置しており、第１プレーンワイヤの反射面に対して形成された外角の角度は第２プレーンワイヤの反射面に対して形成された外角の角度と異なり、導光微細構造を非対称構造に形成させる。
【００１０】
上記のような導光板において、導光微細構造は反射面から内部へ凹み、導光微細構造は反射面と直交する中心線を含み、導光微細構造の円系平面は反射面の内側に位置している。
【００１１】
上記のような導光板において、導光微細構造は反射面から内部へ凹んで反射面において開口を画定しており、導光微細構造の円系平面は反射面の内側に位置しており、導光微細構造は中心線を含み、中心線は円系平面の中心から入射光側面に背向ける方向に向くように傾斜して開口の中心へ延び、中心線と円系平面の中心を経由する法線とは鋭角である夾角をなす。
【００１２】
上記のような導光板において、導光微細構造は反射面から内部へ凹み、導光微細構造の円系平面は反射面の内側に位置しており、導光微細構造は中心線を含み、導光微細構造の傾斜円周面は入射光側面に向かい合う第１プレーンワイヤ及び入射光側面に背向ける第２プレーンワイヤを含み、第１プレーンワイヤと第２プレーンワイヤとはそれぞれ中心線の入射光方向に沿って対向する両側に位置しており、第１プレーンワイヤの反射面に対して形成された内角の角度は第２プレーンワイヤの反射面に対して形成された内角の角度と異なり、導光微細構造を非対称構造に形成させる。
【００１３】
上記のような導光板において、導光板の光射出面に複数の光射出微細構造が形成されている。
【００１４】
上記目的を達成するために、本考案のバックライトモジュールは、上述のような導光板と、導光板の光射出面の外側に設置されている少なくとも１つの光学フィルムと、導光板の入射光側面の外側に設けられており、その光射出方向が入射光側面に向く光源と、を含む。
【００１５】
上記目的を達成するために、本考案の表示装置は、上述のようなバックライトモジュールと、バックライトモジュールの光学フィルムの外側に設けられている表示パネルと、を含む。
【考案の効果】
【００１６】
本考案は主に以下の利点を有する。
１．光を収束させ、輝度を向上させる。本考案の導光板は主に反射面に形成された複数の導光微細構造を利用し、各導光微細構造は円系平面及び円系平面の周縁から反射面へ延びる傾斜円周面を含む構造を有し、光線を導光板の入射光側面から入射させた後、円系平面に接触させることにより反射させ、その後、一部の反射光線は直接光射出面の方向に向く方向へ向きを変え、その他の部分の反射光線は円系平面周辺の傾斜円周面に接触し、再反射された後に光射出面に向く方向へ向きを変えることで、光を収束させ、半値全幅（Ｆｕｌｌｗｉｄｔｈａｔｈａｌｆｍａｘｉｍｕｍ、ＦＷＨＭと略称する）をさらに縮小させることができる。このようにして、導光板は複数の特別な導光微細構造を介して光線を収束し、迷光を減少させることができるため、導光板の光射出面を経由して射出する有効光を増加させ、射出光の輝度を向上させることができる。
２．導光板を離型しやすくする。上述のように、本考案の導光板は主に反射面に形成された複数の導光微細構造を利用し、各導光微細構造は円系平面及び円系平面の周縁から反射面へ延びる傾斜円周面を含む構造を有し、この構造により、本考案の導光板を成形し製造する時、従来の導光板の導光微細構造における全円弧形曲面の底面構造に比べて、離型しやすいという利点を有する。
【図面の簡単な説明】
【００１７】
【図１】本考案にかかる導光板の実施例１の平面図である。
【図２】図１に示された導光板の実施例１における導光微細構造を下から見た斜視図である。
【図３】本考案にかかる導光板の実施例２の平面図である。
【図４】図２に示された導光板の実施例２における導光微細構造を下から見た斜視図である。
【図５】本考案にかかる導光板の実施例３の平面図である。
【図６】本考案にかかる導光板の実施例４の平面図である。
【図７】本考案にかかる導光板の実施例５の平面図である。
【図８】本考案にかかる導光板の実施例６の平面図である。
【図９】本考案にかかるバックライトモジュールの実施例の平面図である。
【図１０】入射光が本考案の導光板の実施例１によって反射される模式図である。
【図１１】入射光が本考案の導光板の実施例３によって反射される模式図である。
【図１２】入射光が本考案の導光板の実施例４によって反射される模式図である。
【図１３】入射光が本考案の導光板の実施例６によって反射される模式図である。
【図１４】本考案にかかる表示装置の実施例の平面図である。
【図１５】入射光が公知の導光板によって反射される模式図である。
【考案を実施するための形態】
【００１８】
本考案は、導光板、バックライトモジュール及び表示装置に関する。図１、図３及び図５〜図８は本考案にかかる導光板の複数の実施例を示している。図に示すように、導光板１０Ａ〜１０Ｆは導光板本体１１Ａ〜１１Ｆ及び複数の導光微細構造１２Ａ〜１２Ｆを含む。
【００１９】
図１、図３及び図５〜図８に示すような様々な実施例において、導光板本体１１は光射出面１１１Ａ〜１１１Ｆ、反射面１１２Ａ〜１１２Ｆ及び入射光側面１１３Ａ〜１１３Ｆを含み、光射出面１１１Ａ〜１１１Ｆと反射面１１２Ａ〜１１２Ｆはそれぞれ導光板本体１１Ａ〜１１Ｆの対向する両側に位置し、入射光側面１１３Ａ〜１１３Ｆは導光板本体１１Ａ〜１１Ｆの側辺に位置し、導光板１０Ａ〜１０Ｆの光射出面１１１Ａ〜１１１Ｆにさらに例えば入射光側面１１３Ａ〜１１３Ｆと直交するストリップ状微細構造のような複数の光射出微細構造（未図示）が形成されている。
【００２０】
図１、図３及び図５〜図８に示すような様々な実施例において、複数の導光微細構造１２Ａ〜１２Ｆは導光板本体１１Ａ〜１１Ｆの反射面１１２Ａ〜１１２Ｆに形成され、複数の導光微細構造１２Ａ〜１２Ｆは実質的に入射光側面１１３Ａ〜１１３Ｆと直交する方向へ延びる。それにより、反射面１１２Ａ〜１１２Ｆに設置された複数の導光微細構造１２Ａ〜１２Ｆにより、導光板１０Ａ〜１０Ｆの光方向性を調整することができる。導光微細構造１２Ａ〜１２Ｃは反射面１１２Ａ〜１１２Ｃから突出した突起であってもよく、又は、導光微細構造１２Ｄ〜１２Ｆは反射面１１２Ｄ〜１１２Ｆへ凹んだ凹溝であってもよく、複数の導光微細構造１２Ａ〜１２Ｆの形状、サイズ及び反射面１１２Ａ〜１１２Ｆに設置された疎密形態等は入射光側面１１３Ａ〜１１３Ｆに対する距離又は異なる製品の光学特性の要求等に応じて配列することができる。
【００２１】
図１〜図８に示すような様々な実施例において、導光微細構造１２Ａ〜１２Ｆは円系平面１２１Ａ〜１２１Ｆ及び傾斜円周面１２２Ａ〜１２２Ｆを含む。図２及び図４に示すように、円系平面１２１Ａ〜１２１Ｆは円形平面又は楕円形平面等を指す。円系平面１２１Ａ〜１２１Ｆは反射面１１２Ａ〜１１２Ｆに平行しており、反射面１１２Ａ〜１１２Ｆに対して段差ｈを形成している。本考案の実施例において、円系平面１２１Ａ〜１２１Ｆの反射面１１２Ａ〜１１２Ｆに対する段差ｈは約１μｍ〜３μｍである。傾斜円周面１２２Ａ〜１２２Ｆは円系平面１２１Ａ〜１２１Ｆの周囲から反射面１１２Ａ〜１１２Ｆへ延びる。当該実施例において、傾斜円周面１２２Ａ〜１２２Ｆと円系平面１２１Ａ〜１２１Ｆとの間の内角は約１３０度〜１５０度である。
【００２２】
図１及び図２に示すような実施例１において、導光微細構造１２Ａは反射面１１２Ａから突出し、導光微細構造１２Ａは正円錐台状の突起である。導光微細構造１２Ａは反射面１１２Ａと直交する中心線１２０Ａを含み、導光微細構造１２Ａの円系平面１２１Ａは反射面１１２Ａの外側に位置している。
【００２３】
図３及び図４に示すような実施例２において、導光微細構造１２Ｂは反射面１１２Ｂから突出し反射面１１２Ｂにおいて底部平面１２３Ｂを画定しており、導光微細構造１２Ｂの円系平面１２１Ｂは反射面１１２Ｂの外側に位置している。導光微細構造１２Ｂは斜め円錐台状の突起である。導光微細構造１２Ｂは中心線１２０Ｂを含み、中心線１２０Ｂは円系平面１２１Ｂの中心から入射光側面１１３Ｂに向かい合う方向へ傾斜して底部平面１２３Ｂの中心へ延び、中心線１２０Ｂと円系平面１２１Ｂの中心を経由する法線Ｌ１とは鋭角である夾角θ１をなす。
【００２４】
図５に示すような実施例３において、導光微細構造１２Ｃは反射面１１２Ｃから突出し、導光微細構造１２Ｃの円系平面１２１Ｃは反射面１１２Ｃの外側に位置しており、導光微細構造１２Ｃは斜めの突起である。導光微細構造１２Ｃは中心線１２０Ｃを含み、導光微細構造１２Ｃの傾斜円周面１２２Ｃは入射光側面１１３Ｃに向かい合う第１プレーンワイヤ１２４Ｃ及び入射光側面１１３Ｃに背向ける第２プレーンワイヤ１２５Ｃを含み、第１プレーンワイヤ１２４Ｃと第２プレーンワイヤ１２５Ｃとはそれぞれ中心線１２０Ｃの入射光方向に沿って対向する両側に位置しており、第１プレーンワイヤ１２４Ｃの反射面１１２Ｃに対して形成された外角α１の角度は第２プレーンワイヤ１２５Ｃの反射面１１２Ｃに対して形成された外角α２の角度と異なり、導光微細構造１２Ｃを非対称構造に形成させる。
【００２５】
図６に示すような実施例４において、導光微細構造１２Ｄは反射面１１２Ｄから内部へ凹み、導光微細構造１２Ｄは正円錐台状の凹溝であってもよい。導光微細構造１２Ｄは反射面１１２Ｄと直交する中心線１２０Ｄを含む。導光微細構造１２Ｄの円系平面１２１Ｄは反射面１１２Ｄの内側に位置している。
【００２６】
図７に示すような実施例５において、導光微細構造１２Ｅは反射面１１２Ｅから内部へ凹んで反射面１１２Ｅにおいて開口１２６Ｅを画定しており、導光微細構造１２Ｅの円系平面１２１Ｅは反射面１１２Ｅの内側に位置している。導光微細構造１２Ｅは斜め円錐台状の凹溝であってもよい。導光微細構造１２Ｅは中心線１２０Ｅを含み、中心線１２０Ｅは円系平面１２１Ｅの中心から入射光側面１１３Ｅに背向ける方向に向けて傾斜して開口１２６Ｅの中心へ延び、中心線１２０Ｅと円系平面１２１Ｅの中心を経由する法線Ｌ２とは鋭角である夾角θ２をなす。
【００２７】
図８に示すような実施例６において、導光微細構造１２Ｆは反射面１１２Ｆから内部へ凹み、導光微細構造１２Ｆの円系平面１２１Ｆは反射面１１２Ｆの内側に位置している。導光微細構造１２Ｆは斜めの凹溝である。導光微細構造１２は中心線１２０を含み、導光微細構造１２Ｆの傾斜円周面１２２Ｆは入射光側面１１３Ｆに向かい合う第１プレーンワイヤ１２４Ｆ及び入射光側面１１３Ｆに背向ける第２プレーンワイヤ１２５Ｆを含み、第１プレーンワイヤ１２４Ｆと第２プレーンワイヤ１２５Ｆとはそれぞれ中心線１２０Ｆの入射光方向に沿って対向する両側に位置しており、第１プレーンワイヤ１２４Ｆの反射面１１２Ｆに対して形成された内角β１の角度は第２プレーンワイヤ１２５Ｆの反射面１１２Ｆに対して形成された内角β２の角度と異なり、導光微細構造１２Ｆを非対称構造に形成させる。
【００２８】
図９に示すように、本考案のバックライトモジュール１は、導光板１０Ａ、少なくとも１つの光学フィルム２０および光源３０を含む。導光板１０Ａの構造は上述の様々な実施例に示された導光板１０Ａ〜１０Ｆの構造と同じであるため、ここでその説明を省略する。光学フィルム２０は導光板１０Ａの光射出面１１１Ａの外側に設置されている。光学フィルム２０の数が複数である場合、複数の光学フィルム２０は順に導光板１０Ａの光射出面１１１Ａの外側に積み重なるように配列される。光源３０は導光板１０Ａの入射光側面１１３Ａの外側に設けられており、光源３０の光射出方向は入射光側面１１３Ａに向け、光源３０からの光線を導光板１０Ａの入射光側面１１３Ａを通じて入射させ、導光板１０Ａによって均一に拡散し向きを変え、続いて導光板１０Ａの光射出面１１１Ａから均一に分散されるように射出することができる。
【００２９】
導光板１０Ａ〜１０Ｆの様々な実施例において、導光微細構造１２Ａ、１２Ｄが正円錐台状の突起又は正円錐台状の凹溝である場合、光源からの光線は導光板１０Ａ、１０Ｄの入射光側面１１３Ａ、１１３Ｄを通じて入射され、図１０、図１２に示すように、入射された光線が導光板１０Ａ、１０Ｄ内で進行する過程において、円系平面１２１Ａ、１２１Ｄに接触して反射され、ここで、一部の反射光線は直接光射出面１１１Ａ、１１１Ｄに向く方向に向きを変え、その他の部分の反射光線は円系平面１２１Ａ、１２１Ｄ周辺の傾斜円周面１２２Ａ、１２２Ｄに接触し、再反射された後に光射出面１１１Ａ、１１１Ｄに向く方向に向きを変え、光線を収束させ、半値全幅（Ｆｕｌｌ  ｗｉｄｔｈ  ａｔ  ｈａｌｆ  ｍａｘｉｍｕｍ、ＦＷＨＭと略称する）をさらに縮小させることができる。このようにして、導光板１０Ａ、１０Ｄは複数の特別な導光微細構造１２Ａ、１２Ｄを介して光線を収束し、迷光を減少させることができるため、導光板１０Ａ、１０Ｄの光射出面１１１Ａ、１１１Ｄを経由して射出する有効光を増加させ、射出光の輝度を向上させることができる。
【００３０】
導光板１０Ｂ、１０Ｃ、１０Ｅ、１０Ｆの導光微細構造１２Ｂ、１２Ｃ、１２Ｅ、１２Ｆが斜めの突起又は斜めの凹溝である場合、図５、図８に示す導光板１０Ｃ、１０Ｆを例とし、入射された光線が導光板１０Ｃ、１０Ｆ内で進行する過程において、図１１、図１３に示すように、光線は円系平面１２１Ｃ、１２１Ｆに接触して反射され、ここで、一部の反射光線は直接光射出面１１１Ｃ、１１１Ｆに向く方向に向きを変え、その他の部分の反射光線は円系平面１２１Ｃ、１２１Ｆ周辺の傾斜円周面１２２Ｃ、１２２Ｆに接触し、再反射された後に光射出面１１１Ｃ、１１１Ｆに向く方向に向きを変え、光線を収束させる。ここで、光線の進行路は入射光側面１１３Ｃ、１１３Ｆに近接する第１プレーンワイヤ１２４Ｃ、１２４Ｆから入射光側面１１３Ｃ、１１３Ｆを離れる第２プレーンワイヤ１２５Ｃ、１２５Ｆの方向に進むため、光線が前へ進行する過程において、第２プレーンワイヤ１２５Ｃ、１２５Ｆに衝突する確率は第１プレーンワイヤ１２４Ｃ、１２４Ｆに衝突する確率より大きい。そのため、光線が反射され光射出面１１１Ｃ、１１１Ｆに向く方向へ向きを変えるチャンスを増加させるために、図１１、図１３に示すこれらの実施例において、第２プレーンワイヤ１２５Ｃ、１２５Ｆは第１プレーンワイヤ１２４Ｃ、１２４Ｆに比べて、面積が大きく、角度も大きくなるように設計される。そのため、導光板１０Ｃ、１０Ｆは複数の特別な非対称の導光微細構造１２Ｃ、１２Ｆによって光線を収束し、迷光を減少させることで、半値全幅（ＦＷＨＭ）をさらに縮小させ、導光板１０Ｃ、１０Ｆの光射出面１１１Ｃ、１１１Ｆを経由して射出する有効光を増加させ、射出光の輝度を向上させる。
【００３１】
図１４に示すように、本考案の表示装置はバックライトモジュール１及び表示パネル２を含む。バックライトモジュール１の構造は上述の通りであるため、ここでその説明を省略する。表示パネル２はバックライトモジュール１の光学フィルム２０の外側に設けられており、バックライトモジュール１を介して表示パネル２に必要なバックライトを提供する。
【００３２】
以上、本考案の実施例を開示したが、本考案は上述した実施例によって限定されない。当業者であれば、本考案の技術内容の範囲を逸脱しない限り、上記開示された技術内容を利用して様々な変更や潤飾等の等価変化の等価実施例を実施することができる。本考案の技術手段の内容を逸脱しない限り、本考案の技術内容に従って実質的に上記実施例に対して行った如何なる簡単な補正、等価変更および潤飾は、何れも本考案の技術内容の範囲に属する。
【符号の説明】
【００３３】
１：バックライトモジュール
２：表示パネル
１０Ａ、１０Ｂ、１０Ｃ、１０Ｄ、１０Ｅ、１０Ｆ：導光板
１１Ａ、１１Ｂ、１１Ｃ、１１Ｄ、１１Ｅ、１１Ｆ：    導光板本体
１１１Ａ、１１１Ｂ、１１１Ｃ、１１１Ｄ、１１１Ｅ、１１１Ｆ：光射出面
１１２Ａ、１１２Ｂ、１１２Ｃ、１１２Ｄ、１１２Ｅ、１１２Ｆ：反射面
１１３Ａ、１１３Ｂ、１１３Ｃ、１１３Ｄ、１１３Ｅ、１１３Ｆ：入射光側面
１２Ａ、１１Ｂ、１１Ｃ、１１Ｄ、１１Ｅ、１１Ｆ：導光微細構造
１２０Ａ、１２０Ｂ、１２０Ｃ、１２０Ｄ、１２０Ｅ、１２０Ｆ：中心線
１２１Ａ、１２１Ｂ、１２１Ｃ、１２１Ｄ、１２１Ｅ、１２１Ｆ：円系平面
１２２Ａ、１２２Ｂ、１２２Ｃ、１２２Ｄ、１２２Ｅ、１２２Ｆ：傾斜円周面
１２３Ｃ：底部平面
１２４Ｃ、１２４Ｆ：第１プレーンワイヤ
１２５Ｃ、１２５Ｆ：第２プレーンワイヤ
１２６Ｅ：開口
Ｈ：円系平面の反射面に対する段差
Ｌ１、Ｌ２：法線
θ１、θ２：中心線と円系平面の中心を通過する法線との夾角
α１：第１プレーンワイヤの反射面に対する外角
α２：第２プレーンワイヤの反射面に対する外角
β１：第１プレーンワイヤの反射面に対する内角
β２：第２プレーンワイヤの反射面に対する内角
２０：光学フィルム
３０：光源
４０：導光板
４１：反射面
４２：導光微細構造
４３：光入射面
４４：光射出面
【図１】
0003216059.tif 000003
【図２】
0003216059.tif 000004
【図３】
0003216059.tif 000005
【図４】
0003216059.tif 000006
【図５】
0003216059.tif 000007
【図６】
0003216059.tif 000008
【図７】
0003216059.tif 000009
【図８】
0003216059.tif 000010
【図９】
0003216059.tif 000011
【図１０】
0003216059.tif 000012
【図１１】
0003216059.tif 000013
【図１２】
0003216059.tif 000014
【図１３】
0003216059.tif 000015
【図１４】
0003216059.tif 000016
【図１５】
0003216059.tif 000017